(57)【要約】【課題】  本発明は、無線計測装置に関し、例えばＷＣＤＭＡに係る携帯電話システムの無線計測装置に適用して、誤ったスクランブルコードの検出を防止する。【解決手段】  本発明は、繰り返しスクランブルコードを検出するようにして、現在より一定の期間だけ逆上った範囲で、一定回数以上検出されるスクランブルコードを有効なスクランブルコードに設定して計測の処理を実行する。【選択図】        図１
2006067042.tif 000002
【特許請求の範囲】
【請求項１】
符号分割多元接続に係る基地局を検出し、前記基地局に係る計測結果を取得する無線計測装置であって、
同期、相関を図って前記基地局に係るスクランブルコードを検出する処理を繰り返すサーチ手段と、
前記サーチ手段により検出されるスクランブルコードについて、現在より一定の期間だけ逆上った範囲で、一定回数以上検出されるスクランブルコードを検出して有効なスクランブルコードに設定するスクランブルコードの処理手段と、
前記有効なスクランブルコードに係る基地局について、前記計測結果を取得する計測手段と
を備えることを特徴とする無線計測装置。
【請求項２】
前記計測手段は、
前記スクランブルコードの処理手段により有効とされた前記スクランブルコードにより相関を図って前記計測結果を繰り返し得、
前記スクランブルコードの処理手段は、
前記サーチ手段によるスクランブルコードの検出に供する相関値のピーク位相と、前記計測手段で検出される前記相関値のピーク位相との位相差が所定値より大きい場合、前記計測結果を無効なものとし、
該無効なものとする計測回数が所定回数以上となると、対応するスクランブルコードの有効なスクランブルコードへの設定を解除する
ことを特徴とする請求項１に記載の無線計測装置。
【発明の詳細な説明】
【技術分野】
【０００１】
本発明は、無線計測装置に関し、例えばＷＣＤＭＡ（Wideband Code Division Multiple Access：広域符号分割多元接続）に係る携帯電話システムの無線計測装置に適用することができる。本発明は、繰り返しスクランブルコードを検出するようにして、現在より一定の期間だけ逆上った範囲で、一定回数以上検出されるスクランブルコードを有効なスクランブルコードに設定して計測の処理を実行することにより、誤ったスクランブルコードの検出を防止することができるようにする。
【背景技術】
【０００２】
近年、ＷＣＤＭＡ等による携帯電話システムにおいては、無線計測装置により基地局から送出された無線通信波を受信して評価することにより、設備のメンテナンス等を図るようになされている。
【０００３】
このような無線計測装置においては、測定対象の携帯電話システムに係る携帯電話装置と同様にして基地局からの無線通信波を受信するようになされており、このような受信方法にあっては、例えば特開２００４−１１２１４８号公報等に開示されているように、３ＧＰＰ（3rd Generation Partnership Project）により策定されたいわゆる３段階セルサーチ法が適用されるようになされている。
【０００４】
ここでこの３段階セルサーチ法においては、始めに、P-SCH （Primary Synchronization Channel ）によりスロット単位の同期を確保した後、S-SCH （Secondary Synchronization Channel ）によりフレーム単位の同期を確保し、続いてCPICH （Common Pilot Channel）により相関を図ってスクランブルコードを検出するようになされている。
【０００５】
しかしながらこの３段階セルサーチ法においては、近くに基地局があり、かつ基地局を一局だけ検出すればよい場合には、実用上十分な精度によりスクランブルコードを検出して基地局を検出することができるものの、近隣に存在する複数の基地局をそれぞれ検出する場合、さらには遠方の基地局を検出する場合等にあっては、ノイズの混入により相関を図り難くなり、スクランブルコードを誤って検出する場合がある。
【０００６】
これによりこの３段階セルサーチ法においては、携帯電話端末では、実用上十分な精度によりにスクランブルコードを検出して各種処理に利用できるものの、この種の無線計測装置では、誤ってスクランブルコードを検出する問題があった。なおこのように誤ってスクランブルコードを検出した場合には、結局、このスクランブルコードに係る基地局については、各種の処理を無駄に実行することになり、その分、この種の無線計測装置における処理が煩雑になり、各種の計測に時間を要することになる。
【特許文献１】特開２００４−１１２１４８号公報
【発明の開示】
【発明が解決しようとする課題】
【０００７】
本発明は以上の点を考慮してなされたもので、誤ったスクランブルコードの検出を防止することができる無線計測装置を提案しようとするものである。
【課題を解決するための手段】
【０００８】
かかる課題を解決するため請求項１の発明においては、符号分割多元接続に係る基地局を検出し、前記基地局に係る計測結果を取得する無線計測装置に適用して、同期、相関を図って前記基地局に係るスクランブルコードを検出する処理を繰り返すサーチ手段と、前記サーチ手段により検出されるスクランブルコードについて、現在より一定の期間だけ逆上った範囲で、一定回数以上検出されるスクランブルコードを検出して有効なスクランブルコードに設定するスクランブルコードの処理手段と、前記有効なスクランブルコードに係る基地局について、前記計測結果を取得する計測手段とを備えるようにする。
【０００９】
また請求項２の発明においては、請求項１の構成において、前記計測手段は、前記スクランブルコードの処理手段により有効とされた前記スクランブルコードにより相関を図って前記計測結果を繰り返し得、前記スクランブルコードの処理手段は、前記サーチ手段によるスクランブルコードの検出に供する相関値のピーク位相と、前記計測手段で検出される前記相関値のピーク位相との位相差が所定値より大きい場合、前記計測結果を無効なものとし、該無効なものとする計測回数が所定回数以上となると、対応するスクランブルコードの有効なスクランブルコードへの設定を解除する。
【００１０】
請求項１の構成により、サーチ手段により検出されるスクランブルコードについて、現在より一定の期間だけ逆上った範囲で、一定回数以上検出されるスクランブルコードを検出して有効なスクランブルコードに設定するスクランブルコードの処理手段を備えるようにすれば、ノイズの影響により誤って検出されるスクランブルコードについては、有効なスクランブルコードへの設定を回避することができる。これによりスクランブルコードの誤検出を防止することができる。
【００１１】
また請求項２の構成により、請求項１の構成において、前記計測手段は、前記スクランブルコードの処理手段により有効とされた前記スクランブルコードにより相関を図って前記計測結果を繰り返し得、前記スクランブルコードの処理手段は、前記サーチ手段によるスクランブルコードの検出に供する相関値のピーク位相と、前記計測手段で検出される前記相関値のピーク位相との位相差が所定値より大きい場合、前記計測結果を無効なものとし、該無効なものとする計測回数が所定回数以上となると、対応するスクランブルコードの有効なスクランブルコードへの設定を解除すれば、正しいスクランブルコードが一時的に誤って検出された場合等にあっても、このような正しいスクランブルコードについては、有効なスクランブルコードに保持し得、これによってもスクランブルコードの誤検出を防止することができる。
【発明の効果】
【００１２】
本発明によれば、誤ったスクランブルコードの検出を防止することができる。
【発明を実施するための最良の形態】
【００１３】
以下、適宜図面を参照しながら本発明の実施例を詳述する。
【実施例１】
【００１４】
（１）実施例の構成
図１は、本発明の実施例に係る無線計測装置を示すブロック図である。この無線計測装置１は、ＷＣＤＭＡによる携帯電話システムについて、基地局から送出された無線通信波を受信して受信結果の評価に供する各種の測定を実行する。
【００１５】
すなわちこの無線計測装置１において、ディスプレイ部２は、システム制御部３の制御により各種の測定結果を表示する。ＲＦ部４は、システム制御部３の制御により、アンテナ５より得られる無線通信波を増幅し、ベースバンド変換して出力する。アナログディジタル変換回路（ＡＤ）６は、このＲＦ部４のベースバンド出力をアナログディジタル変換処理して受信データを出力する。
【００１６】
ベースバンド処理部８は、システム制御部３の制御によりこのアナログディジタル変換回路６から出力される受信データを処理することにより、この無線計測装置１における処理に必要な各種の測定データを出力する。すなわちベースバンド処理部８において、サーチ処理部８Ａは、システム制御部３の制御に従って、３段階セルサーチ法により、又はＣＰＩＣＨ（Common Point Chnnel ）を直接検出するいわゆるＣＰＩＣＨサーチ法により、同期、相関を図り、スクランブルコードを検出する。サーチ処理部８Ａは、システム制御部３の制御により、スクランブルコードの検出を一定の時間間隔により繰り返す。
【００１７】
データ復調部８Ｂは、このサーチ処理部８Ａで検出されるスクランブルコードを用いて相関を図りながら受信データを処理することにより、例えばＲＳＣＰ（Received Signal
Code Power）等のこの無線計測装置１の測定機能に係る各種の測定データを検出する。
【００１８】
システム制御部３は、演算処理手段により構成され、ユーザーによる操作子の操作に応動して所定の処理プログラムを実行することにより、この無線計測装置１の動作を制御する。この制御において、システム制御部３は、ユーザーが基地局の検出を指示すると、ベースバンド処理部８等にスクランブルコードの検出を指示する。またこの指示によりベースバンド処理部８において、これらスクランブルコード各種のデータが検出されると、ディスプレイ部２を介して検出結果を表示する。
【００１９】
これらの処理において、ユーザーにより指示された基地局の検出が、基地局のスクランブルコードがわからない場合の無指定基地局測定の場合、サーチ処理部８Ａにおけるスクランブルコードの検出処理毎に、図２の処理手順を実行する。ここで無指定基地局測定は、受信可能な全ての基地局に係るスクランブルコードを検出する処理であり、この実施例では上述したＣＰＩＣＨサーチ法により、アナログディジタル変換回路６から得られる受信データをベースバンド処理部８にてメモリに記録して保持し、サーチ処理部８Ａにおいてこのメモリに記録して保持した受信データに対して、基地局に割り当て可能な全てのスクランブルコードの位相を順次変化させて相関値を検出することにより、現在受信される基地局のスクランブルコードを検出する。
【００２０】
システム制御部３は、この処理手順を開始すると、サーチ処理部８Ａに無指定基地局測定を指示してステップＳＰ１からステップＳＰ２に移り、サーチ処理部８Ａで検出されるスクランブルコード及び各種のデータを基地局毎に記録する。これによりシステム制御部３は、セルサーチを繰り返し、この繰り返しのセルサーチによる基地局の検出回数を基地局毎に集計するようになされている。
【００２１】
続いてシステム制御部３は、このようにして記録される過去の検出結果との比較により、所定回数以上、連続して強い相関値により検出された基地局の有無を判定し、このような基地局にあっては、後述する基地局確定検査処理より除外して、直ちにこの基地局に係る測定データを有効な測定データに設定する。これによりシステム制御部３においては、確実に正しくスクランブルコードが検出されたと考えられる基地局については、以降の確認に係る処理を省略してこのスクランブルコードを有効なものに設定し、その分、全体の処理を簡略化するようになされている。システム制御部３は、このステップＳＰ３の処理手順を実行すると、ステップＳＰ４に移ってこの処理手順を終了する。
【００２２】
システム制御部３は、この図２に示す処理手順を繰り返しながら、一定の時間間隔により図３に示す基地局確定検査処理を実行し、これによりセルサーチの処理による検出結果を確認する。
【００２３】
すなわちシステム制御部３は、この処理手順を開始すると、ステップＳＰ６からステップＳＰ７に移り、図２の処理手順による検出回数（投票数）を基地局毎に所定のしきい値により判定する。また、続くステップＳＰ８において、この判定結果によりしきい値を越えた記録数の基地局を選択し、この基地局に係る測定データを有効な測定データに設定する。
【００２４】
また続くステップＳＰ９において、投票数がしきい値を越えない残りの基地局については、そのまま記録を保持すると共に、一定時間以上経過した記録については、記録より除外した後、ステップＳＰ１０に移ってこの処理手順を終了する。
【００２５】
これらにより現在より一定の期間だけ逆上った範囲で、一定の検出回数以上、繰り返し検出されるスクランブルコードについては、正しいスクランブルコードとして有効なスクランブルコードに設定するのに対し、このような範囲で一定に検出回数以上検出されないスクランブルコードについては、誤検出によるものと判定して処理対象より除外し、これによりスクランブルコードの誤検出を有効に回避するようになされている。
【００２６】
しかしてシステム制御部３は、この一連の処理により有効なものに設定してなる基地局に関して、図４に示す処理手順を繰り返し実行し、各基地局毎に、測定データを取得する。すなわちシステム制御部３は、ステップＳＰ１１からステップＳＰ１２に移り、この有効なものに設定したスクランブルコードに係る基地局について、各基地局の測定データの取得を指示し、これにより基地局毎に、対応するスクランブルコードにより相関を図って各基地局の測定データを取得する。
【００２７】
また続くステップＳＰ１３において、スクランブルコードの検出に供した相関値のピーク位相と、実際にデータ復調部８Ｂで測定データの取得に供した相関値のピーク位相との位相差が±３２チップ以内か否か判断し、ここで位相差が±３２チップ以内の場合には、この位相差に係る測定データについては、有効なものとしてステップＳＰ２、ステップＳＰ１２で検出した測定データを表示対象に設定する。これに対して位相差が±３２チップより大きい場合には、この位相差に係るステップＳＰ２、ステップＳＰ１２で検出した測定データについては無効なものに設定する。なおここでこれら相関値のピーク位相にあっては、スクランブルコードの繰り返し周期に同期した時間計測により実行される。
【００２８】
続いてシステム制御部３は、ステップＳＰ１４に移り、ステップＳＰ１３で無効に設定した測定データに係る基地局について、無効の設定回数を所定のしきい値により判定し、この無効の設定回数がしきい値を越える場合には、この基地局についてのスクランブルコードの有効への設定を解除し、また図２について上述した記録をクリアする。これによりこの基地局については、改めて図２に示す無指定基地局測定処理から一連の処理を繰り返すことになる。しかしてシステム制御部３は、このステップＳＰ１４の処理手順を実行すると、ステップＳＰ１５に移ってこの処理手順を終了する。
【００２９】
（２）実施例の動作
以上の構成において、この無線計測装置１においては、アンテナ５を介して得られる無線通信波がＲＦ部４により処理された後、アナログディジタル変換回路６により受信データに変換され、この受信データがベースバンド処理部８により処理されて各種の計測データが検出される。この無線計測装置１においては、この計測データがディスプレイ部２により表示され、これによりこの測定箇所に係る基地局のメンテナンス等に必要な情報が提供される。
【００３０】
この無線計測装置１においては、このような一連の処理において、サーチ処理部８Ａにおける３段階セルサーチ法の繰り返しにより、基地局に係るクランブルコードが検出される。しかしてこのようにして検出されるスクランブルコードにおいては、基地局までの距離が近い場合にあっては、十分確実に相関を図り、正しく検出することができる。しかしながら近隣に存在する複数の基地局のスクランブルコードをそれぞれ検出する場合、さらには遠方の基地局のスクランブルコードを検出する場合等にあっては、ノイズの混入により相関を図り難くなり、スクランブルコードを誤って検出する場合がある。しかしてこのように誤ったスクランブルコードによるデータ復調部８Ｂ、システム制御部３等の処理にあっては、無駄なものとなり、これにより処理が煩雑になり、各種の計測に時間を要することになる。
【００３１】
このためこの実施例において、いわゆる無指定基地局測定によるＣＰＩＣＨサーチ法により、サーチ処理部８Ａにおいて、メモリに記録して保持した受信データに対して、基地局に割り当て可能な全てのスクランブルコードの位相を順次変化させて相関値が検出され、これにより現在受信される基地局のスクランブルコードが検出されて、同時に検出される各種測定データと共に記録される。さらにスクランブルコードは、この記録により、現在より一定の期間だけ逆上った範囲で、一定回数以上検出されているものが検出され、この検出されたスクランブルコードが有効なスクランブルコードに設定される。
【００３２】
これによりノイズ等の影響により誤って検出されたスクランブルコードについては、有効なスクランブルコードへの設定が有効に回避され、この無線計測装置１においては、この有効に設定されたスクランブルコードについてのみ、各種の無線計測の処理が実行される。これによりこの無線計測装置１においては、スクランブルコードの誤検出を有効に回避することができ、またこのような誤検出による無駄な処理を防止して、各部の処理に係る負担を軽減することができ、その分、ベースバンド処理部８の構成を簡略化し、さらには計測時間を短縮することができる。また全体の消費電力も軽減することができる。
【００３３】
またこのような有効無効の判定においては、システム制御部３のプログラムの処理であることにより、各種の判定基準を必要に応じて種々に変更することができ、これによりこの無線計測装置１の使用環境に適した条件により一連の無線計測の処理を実行し得、無線計測装置１の使い勝手を向上することができる。
【００３４】
またこのような検出回数による有効なスクンランブルコードへの設定に代えて、連続して高い相関値により検出されたスクランブルコードにあっては、このような検出回数を判定することなく有効なものに設定される。これによりこの実施例においては、確実に正しく検出されていると判断できるスクランブルコードについては、無駄に確認の処理を実行することなく計測の処理に供するようになされ、これによっても処理を簡略化することができるようになされている。
【００３５】
しかしてこのようにして有効に設定されてなるスクランブルコードにおいては、データ復調部８Ｂで受信データとの間で相関が図られて各種の測定データの検出に供され、この相関における相関値のピーク位相と、スクランブルコードの検出に供した相関値のピーク位相との位相差が検出される。
【００３６】
ここでこのような位相差が大きい場合には、デコード結果が無効なものとされ、この無効なものとする回数が所定回数以上となると、有効なスクランブルコードへの設定が解除される。これにより正しいスクランブルコードにより測定データが一時的に誤って検出された場合等にあっても、このような正しいスクランブルコードについては、有効なスクランブルコードに保持し得、これによってもスクランブルコードの誤検出を防止することができる。
【００３７】
（３）実施例の効果
以上の構成によれば、現在より一定の期間だけ逆上った範囲で、一定回数以上検出されるスクランブルコードを有効なスクランブルコードに設定して計測の処理を実行することにより、誤ったスクランブルコードの検出を防止することができる。
【００３８】
またスクランブルコードの検出に供する相関値のピーク位相と、有効に設定したスクランブルコードによる相関値のピーク位相との間で、大きな位相差が繰り返し検出された場合に限って、有効なスクランブルコードへの設定を解除することによっても、誤ったスクランブルコードの検出を防止することができる。
【実施例２】
【００３９】
なお上述の実施例においては、広域符号分割多元接続に係る携帯電話システムの無線計測装置に適用する場合について述べたが、本発明はこれに限らず、通常の符号分割多元接続に係る携帯電話システムの無線計測装置等に広く適用することができる。
【産業上の利用可能性】
【００４０】
本発明は、広域符号分割多元接続に係る携帯電話システムの無線計測装置に適用することができる。
【図面の簡単な説明】
【００４１】
【図１】本発明の実施例に係る無線計測装置を示すブロック図である。
【図２】図１の無線計測装置におけるシステム制御部の無指定基地局測定処理に係る処理手順を示すフローチャートである。
【図３】図１の無線計測装置におけるシステム制御部の基地局確定検査処理に係る処理手順を示すフローチャートである。
【図４】図１の無線計測装置におけるシステム制御部の指定基地局測定処理に係る処理手順を示すフローチャートである。
【符号の説明】
【００４２】
１……無線計測装置、３……システム制御部、８……ベースバンド処理部、８Ａ……サーチ処理部、８Ｂ……データ復調部
【図１】
2006067042.tif 000003
【図２】
2006067042.tif 000004
【図３】
2006067042.tif 000005
【図４】
2006067042.tif 000006